(57)【要約】【課題】容器本体の蓋体が不用意に開放されることであっても、それのみに起因して中蓋が開放されることのない新規な気密コンパクトを提供する。【解決手段】本発明のコンパクトは、内容物を充填する中皿２と、この中皿２を着脱可能に配設する容器本体１と、この容器本体１に枢軸を介して開閉可能に保持される蓋体と、この蓋体の枢軸とは異なる枢軸を介して開閉可能に保持され中皿２を気密状態に維持する中蓋５とを備える。中蓋２は、当該中蓋２の枢軸と対向する端縁e5にヒンジＨを介して揺動可能に繋がる操作片６を有し、この操作片６に、容器本体１の底部1eに向かって垂下する突き出し片７を備えてなり、容器本体２は、突き出し片７の先端7aが操作片６の揺動により滑動して中蓋５を開放させるように押し上げる斜面8f1,8f2を有する。【選択図】図１
2008212244.tif 000002
【特許請求の範囲】
【請求項１】
内容物を充填する中皿と、この中皿を配設する容器本体と、この容器本体に枢軸を介して開閉可能に保持される蓋体と、枢軸を介して開閉可能に保持され前記中皿を気密状態に維持する中蓋とを備える気密コンパクトにおいて、
前記中蓋は、当該中蓋の枢軸と対向する縁部に揺動可能に繋がる操作片を有し、この操作片に、容器本体の底部に向かって垂下する突き出し片を備えてなり、
前記容器本体は、突き出し片の先端が操作片の揺動により滑動して中蓋を開放させるように押し上げる少なくとも１つの斜面を有することを特徴とする気密コンパクト。
【請求項２】
前記斜面は、中蓋の枢軸から遠ざかるに従って立ち上がる斜面である請求項１に記載の、気密コンパクト。
【請求項３】
前記斜面は、中蓋の枢軸に近づくに従って立ち上がる斜面である請求項１又は２に記載の、気密コンパクト。
【請求項４】
前記斜面は、容器本体に対して外向きに凸となる曲面である請求項１乃至３のいずれか一項に記載の、気密コンパクト。
【発明の詳細な説明】
【技術分野】
【０００１】
本発明は、蓋体を有する容器本体内に、内容物を充填する中皿を配設し、更に、この中皿を中蓋によって気密状態に維持する二重構造の気密コンパクトに関するものである。
【背景技術】
【０００２】
こうしたコンパクトは、主に、揮発成分を含んだ内容物を収納するのに用いられ、こうした内容物としては、例えば、ファンデーションやアイシャドー等の化粧料がある。
【０００３】
また、気密性を高めるための従来の構造としては、内容物を充填する蓋体付きの中皿と、この蓋体付きの中皿を収納する蓋体付きの容器本体とを別途設け、容器本体の蓋体（外蓋）を閉じる時に、この外蓋によって中皿の蓋体（中蓋）を中皿の開口部に押し付けることにより、気密性を高める構造が採用されている（例えば、特許文献１参照。）。
【特許文献１】特許第３７７８３０８号明細書
【発明の開示】
【発明が解決しようとする課題】
【０００４】
しかしながら、上記の従来気密コンパクトは、使い勝手の改善を目的として、容器本体側に組み込まれたプッシュピースに、外蓋と容器本体との係合を解除する第１解除部と、中蓋と中皿との係合を解除する第２解除部とを設け、外蓋の開放と同時に中蓋を開放する仕組みになっている。
【０００５】
このため、例えば、コンパクトの携帯時にプッシュピースが不用意に押圧された場合、外蓋と容器本体との係合と共に、中蓋と中皿との係合も解除されてしまい、中皿の内容物が外気に触れてしまうという問題がある。しかも、内容物が揮発成分を含む場合には、その成分の揮発が避けられない状況にあった。
【０００６】
本発明の解決すべき課題は、こうした問題を解決することにあり、その目的とするところは、容器本体の蓋体が不用意に開放されることであっても、それのみに起因して中蓋が開放されることのない新規な気密コンパクトを提供することにある。
【課題を解決するための手段】
【０００７】
本発明である気密コンパクトは、内容物を充填する中皿と、この中皿を配設する容器本体と、この容器本体に枢軸を介して開閉可能に保持される蓋体と、枢軸を介して開閉可能に保持され前記中皿を気密状態に維持する中蓋とを備える気密コンパクトにおいて、前記中蓋は、当該中蓋の枢軸と対向する縁部に揺動可能に繋がる操作片を有し、この操作片に、容器本体の底部に向かって垂下する突き出し片を備えてなり、前記容器本体は、突き出し片の先端が操作片の揺動により滑動して中蓋を開放させるように押し上げる少なくとも１つの斜面を有することを特徴とするものである。
【０００８】
なお、本発明によれば、蓋体の枢軸と中蓋の枢軸とは、別体として構成し、又は、同一の枢軸として構成することができる。
【０００９】
本発明に係る斜面を、中蓋の枢軸から遠ざかるに従って立ち上がる斜面とした場合、操作片を引き上げる向きに揺動させると、突き出し片の先端が当該斜面に接触して中蓋を開放させるように押し上げることができる。
【００１０】
また、本発明に係る斜面を、中蓋の枢軸に近づくに従って立ち上がる斜面とした場合、操作片を押し下げる向きに揺動させると、突き出し片の先端が当該斜面に接触して中蓋を開放させるように押し上げることができる。
【００１１】
即ち、本発明に係る斜面は、中蓋の枢軸から遠ざかるに従って立ち上がる斜面と、中蓋の枢軸に近づくに従って立ち上がる斜面との、少なくとも一方として存在すればよい。
【００１２】
また、本発明において、前記斜面は、突き出し片の先端が操作片の揺動により滑動して中蓋を開放させるように押し上げる面であれば、平坦面及び曲面を問わないが、操作片の揺動を小さく抑えつつ中蓋を効率的に開放できる点を考慮すると、容器本体に対して外向きに凸となる曲面であることが好ましい。
【発明の効果】
【００１３】
本発明によれば、容器本体の蓋体を開放する機構と、中蓋を開放する機構とをそれぞれ別構成にしたので、容器本体の蓋体が開放されても、それのみに起因して中蓋が開放されることがないから、中皿の気密状態を確実に維持することが可能となり、中皿に充填した内容物が外気に触れることなく済む。しかも、内容物が揮発成分を含む場合には、その揮発成分が揮発することがない。
【００１４】
なお、本発明に係る容器本体は、中皿と共に、パフやアイライナー等の塗布具を配設可能な場合には、塗布具を取り出した後に、中蓋を開放できるために有効である。
【００１５】
また、本発明に係る斜面を、中蓋の枢軸から遠ざかるに従って立ち上がる斜面とした場合、操作片を引き上げることで中蓋を開放できるため、使用者の積極的な引き上げ動作のない意図せぬ中蓋の開放を防止することができる。
【００１６】
また、本発明に係る斜面を、中蓋の枢軸に近づくに従って立ち上がる斜面とした場合、操作片を押し下げることで中蓋を開放できるため、使用者の使い勝手がよい。
【００１７】
また、本発明において、本発明に係る斜面を容器本体に対して外向きに凸となる曲面とすれば、操作片の揺動、即ち、使用者の開放に要する動作を小さく抑えつつ中蓋を効率的に開放できる。
【発明を実施するための最良の形態】
【００１８】
以下、図面を参照して、本発明の好適な形態を詳細に説明する。
【００１９】
図１〜３はそれぞれ、本発明の第一の形態である化粧用コンパクトを示す平面図、図１のＡ−Ａ断面図及び図１のＢ−Ｂ断面図である。また、図４は、図２の要部を拡大して示す断面図である。更に、図５は、図４に示す状態からの引き上げ動作を説明する断面図である。
【００２０】
符号１は、化粧用コンパクトの基本骨格をなす容器本体である。容器本体１は、対向する一対の短辺1a,1bと、対向する一対の長辺1c,1dと、これら４辺を一体に繋ぐ底部1eからなる矩形のものであり、その内側には、薄板状のフレーム1fが配置されている。フレーム1fには台座1f(b)が形成されており、これにより、容器本体１には、フレーム1fの台座1f(b)を挟んで、破線で示すパフ等の塗布具Ｍを収納する凹部（収納空間）R1と、後述の中皿２を収納する凹部とが区画形成されている。
【００２１】
符号２は、図２に示すように、容器本体１の凹部R1に隣接して嵌め込み状態に配設された中皿である。この中皿２には、揮発成分を含む化粧料（図示せず）が充填されており、中皿２そのものが、レフィル容器として機能するように、後述のように、容器本体１に対して着脱可能に配置されている。
【００２２】
符号３は、中皿２の外壁下部に一体的に設けられた爪部である。一方の爪部３は、図４に示すように、フレーム1fの台座1f(b)に形成された爪部1f(n)と係合し、他方の爪部３は、図２に示すように、フレーム1fと一体に形成され弾性変形可能な逆Ｌ字状断面の係合片1gと係合する。これにより、中皿２は、容器本体１に対して着脱可能に保持固定される。
【００２３】
符号４は、容器本体１の長辺1cに枢軸S1（図３参照。）を介して開閉可能に保持される蓋体である。この蓋体４の枢軸S1と反対側の長辺1dには、容器本体１の爪部P1に係合するフック4aが設けられている。
【００２４】
符号５は、蓋体５の枢軸S1とは異なる枢軸S2を介して中皿２に開閉可能に保持された中蓋である。この中蓋５は、図４に示すように、その周回部（以下、「フランジ」という。）5fのうち、枢軸S2と対向する端縁ｅ5近傍から垂下する爪部5aを有し、この爪部5aが、図２及び図４に示すように、中蓋５を閉じた状態で中皿２の爪部2aに着脱可能に係合する。また、中蓋５は、蓋体４の開放状態で何らの規制を受けることなしに当該中蓋５を開放することができるように、図１に示す如く、枢軸S2が容器本体１の短辺1aに設けられた切欠部ｈに配置される。
【００２５】
符号６は、中蓋５のフランジ5fのうち、枢軸S2と対向する端縁ｅ5に設けられた操作片である。この操作片６は、図１に示すように、中蓋５の端縁ｅ5から突出する相対縁部5bを介して一体に繋がり、この相対縁部5bには、薄肉のヒンジＨが端縁ｅ5に沿って平行に形成されている。これにより、操作片６は、図４及び図５に示すように、中蓋５の開閉動作とは独立して、当該蓋体５に対して上下に揺動させることができる。
【００２６】
また、操作片６は、図１に示すように、ヒンジＨを取り囲むように端縁ｅ5に向かって延在する２つの巻き込み部6aを有する。
【００２７】
符号７は、図４に示すように、巻き込み部6aからそれぞれ、容器本体１の底部に向かって垂下する先端7aを有する突き出し片である。この突き出し片７はそれぞれ、図１及び図３に示すように、ヒンジＨと平行に延在し、その先端7aには、図４及び図５に示すように、エッジが形成されてないよう、丸め加工が施されている。
【００２８】
これに対し、符号８は、図４及び図５に示すように、フレーム1fの台座1f(b)に形成された当該台座1f(b)の頂面1f(t)に繋がり、図３に示すようにヒンジＨと平行に延在する突条である。突条８は、図４に示すように、中蓋５を閉じた状態の突き出し片７に対して隣接する位置に、台座1f(b)の頂面1f(t)から中蓋５の枢軸S2から遠ざかるに従って立ち上がる斜面8f1を有し、この斜面8f1は、同図に示すように、容器本体1に対して外向きに凸となる丸みを帯びた曲面で構成されている。
【００２９】
これにより、図５に示すように、使用者が操作片６を引き上げてヒンジＨ周りに揺動させると、突き出し片７の先端7aが斜面8f1を乗り越えるべく滑動するのに伴い、当該斜面8f1からの反力として突き出し片７が中蓋５を押し上げるため、同図に示すように、中皿２の爪部2aと中蓋５の爪部5aとの係合が解除される。
【００３０】
図２、図４及び図５に示す符号９は、中蓋５の裏側に配置されたシール部材である。このシール部材９は、ゴムやエラストマー等の軟質部材からなり、中蓋５が中皿２に合わさった際に当該中皿２を気密状態に保持する。
【００３１】
図２、図４及び図５に示す符号10は、中蓋５の上部（好適には、相対縁部5b側上部）に設けられた凸部である。この凸部10は、蓋体４を閉じた時に、中蓋５を中皿２に向けて押圧するための押し代を確保するためのものであり、蓋体４の裏面に鏡が取り付けられている場合には鏡を介して押圧される。
【００３２】
蓋体４は、図３に示すように、そのフック4aが容器本体１に設けられた爪部P1に係合している状態では完全に閉じた状態にある。プッシュピースＰを押圧すると、それに繋がる押圧片P2は爪部P1の基部に設けられた傾斜面に沿って上方へと滑動し、これにより、フック4aが押し上げられ、フック4aと爪部P1との係合が解除される。
【００３３】
この場合、中皿２に合わさっている中蓋５には、何の力も作用しないため、中皿２の気密状態はそのまま維持される。
【００３４】
これに対し、中皿２を開放するには、図５に示すように、中蓋５の操作片６を引き上げる。すると、操作片６の引き上げに伴う揺動と共に突き出し片７が斜面8f1を滑動して中蓋５を押し上げ、中皿２の爪部2aと中蓋５の爪部5aとの係合が解除される。これにより、中蓋５が開き、中皿３は外界に対して開放される。
【００３５】
本発明によれば、容器本体１の蓋体４を開放する機構と、中蓋５を開放する機構とをそれぞれ別構成にしたので、容器本体１の蓋体４が不用意に開放されても、それのみに起因して中蓋５が開放されることがないから、中皿２の気密状態を確実に維持することが可能となり、中皿２に充填した化粧料が外気に触れることなく済む。しかも、化粧料が揮発成分を含む場合には、その揮発成分が揮発することがない。
【００３６】
特に、本形態のように、本発明に係る斜面を、中蓋５の枢軸S2から遠ざかるに従って立ち上がる斜面8f1とした場合、操作片６を引き上げることで中蓋５を開放できるため、使用者の積極的な引き上げ動作のない意図せぬ中蓋５の開放を防止することができる。
【００３７】
なお、突き出し片７は、操作片６の何れの位置からも垂下させることができるが、本形態のように、操作片６の一部に巻き込み部6aを設け、図１に示すように、ヒンジＨとその長手方向に沿って整列する位置から垂下させれば、中蓋５の端縁ｅ5からの操作片６の突出量を抑えてコンパクト化を図りつつ、ヒンジＨ周りの効率的な揺動を実現することができる。
【００３８】
図６は、上記第一の形態の変形例を、前述の図４と同様の位置から示した要部拡大断面図である。また、図７は、図６に示す状態からの押し下げ動作を説明する断面図である。なお、以下の説明において、第一の形態と同一部分は同一符号を示し、その説明を省略する。
【００３９】
本形態は、フレーム1fの台座1f(b)に、更に、新たな突条８を設けたものである。突条８は、中蓋５を閉じた状態の突き出し片７に対して隣接する位置に、台座1f(b)の底面から中蓋５の枢軸S2に近づくに従って立ち上がる斜面8f2を有し、この斜面8f2も、同図に示すように、丸みを帯びた曲面で構成されている。
【００４０】
これにより、使用者が操作片６を押し下げてヒンジＨ周りに揺動させると、突き出し片７の先端7aが斜面8f2を乗り越えるべく滑動するのに伴い、第一の形態と同様、当該斜面8f2からの反力として突き出し片７が中蓋５を押し上げるため、図７に示すように、中皿２の爪部2aと中蓋５の爪部5aとの係合が解除される。
【００４１】
本形態のように、本発明に係る斜面を、中蓋５の枢軸S2に近づくに従って立ち上がる斜面8f2とした場合、第一の形態のように操作片６を引き上げることに加え、操作片６を押し下げることでも、中蓋５を開放できるため、使用者の使い勝手がよい。
【００４２】
なお、斜面8f1,8f2は、少なくとも、いずれか一方に形成してあればよく、斜面8f2のみを形成することで押し下げ動作のみ許容してもよい。
【００４３】
更に、本形態に係るヒンジHは、第一の形態に係るヒンジと同様、上側（蓋体５側）に開放された凹溝状の薄肉部としてあるが、下側（容器本体１側）に開放された凹溝状の薄肉部としても、上下両側に凹溝を形成して得られる薄肉部であってもよい。
【００４４】
加えて、本形態に係る操作片６は、図１に示すヒンジＨが形成された相対縁部5bを削除し、これに替えて、巻き込み部6aの先端をそれぞれ、ヒンジＨを形成した相対縁部5bを介して中蓋５の端縁ｅ5に対して揺動可能に連結してもよい。またこれに併せて、操作片６及び斜面8f1(8f2)の配置も、中蓋５に連結した巻き込み部6aに設けてもよいし、巻き込み部6aの相互間に新たに設けてもよい。
【００４５】
上述したところは、本発明の好適な形態をしたものであるが、特許請求の範囲において、種々の変更を加えることができる。
【００４６】
例えば、本発明に係る容器本体１は、上述の各形態のように、中皿２と共に、パフやアイライナー等の塗布具Mを収納可能な場合には、塗布具Mを取り出した後に、中蓋５を開放できるために有効である。
【００４７】
また、本発明に係る斜面は、上述の各形態に係る斜面8f1や斜面8f2のように、容器本体１に対して外向きに凸となる曲面とすれば、操作片６の揺動、即ち、使用者の開放に要する動作を小さく抑えつつ中蓋５を効率的に開放できる。
【００４８】
更に、本形態では、中蓋５を中皿２に開閉可能に組み付けたが、中蓋５は、枢軸S2を容器本体１又はフレーム1fに設け、容器本体１又はフレーム1fに回転可能に組み付けてもよい。
【００４９】
また、本形態では、本発明に係る斜面をフレーム1fの台座1f(b)に設けたが、フレーム1fではなく、容器本体１に直接設けてもよい。更に、本形態では、フレーム1fを含めて本発明に係る容器本体１として構成しているが、文言とおり、容器本体１のみをもって本発明に係る容器本体として構成してもよい。
【００５０】
また、本発明に係る斜面は、容器本体１を２つに区画する台座1f(b)以外の位置、例えば、容器本体１の長辺1c側又は1d側に形成して突き出し片７をそれに合せて配置することができ、更に、枢軸S2の位置を変更すれば、それに合せて異なる配置を取ることができる。加えて、蓋体４の枢軸S1と中蓋５の枢軸S2とは、上述した各形態のように、別体として構成するだけでなく、同一の枢軸として構成してもよい。
【００５１】
また、上述の第一及び第二の形態に採用されている各構成、例えば、斜面の個数等はそれぞれ、コンパクトの用途等に応じて適宜組み合わせて使用することができる。
【産業上の利用可能性】
【００５２】
本発明は、化粧料コンパクト以外にも、軟膏や錠剤を内容物とする薬品容器等としても適用できる。
【図面の簡単な説明】
【００５３】
【図１】本発明の第一の形態である化粧用コンパクトを示す平面図である。
【図２】図１のＡ−Ａ断面図である。
【図３】図１のＢ−Ｂ断面図である。
【図４】図２の要部を拡大して示す断面図である。
【図５】同形態において、図４に示す状態からの引き上げ動作を説明する断面図である。
【図６】本発明の第二の形態である化粧用コンパクトを、図４と同様の位置から示した要部拡大断面図である。
【図７】同形態において、図６に示す状態からの押し下げ動作を説明する断面図である
【符号の説明】
【００５４】
１  容器本体
1a  容器本体短辺
1b  容器本体短辺
1c  容器本体長辺
1d  容器本体長辺
1e  容器本体底部
1f  フレーム
1f(b) フレーム台座
1f(n) フレーム爪部（中皿固定用）
1f(t) フレーム頂面
２  中皿
2a  中皿爪部（中蓋固定用）
３  中皿爪部（中皿固定用）
４  蓋体（外蓋）
５  中蓋
5b  相対縁部
5a  中皿爪部
６  操作片
6a  操作片巻き込み部
７  突き出し片
7a  突き出し片先端
８  突条
8f1 引き上げ動作側斜面
8f2 押し下げ動作側斜面
９  シール部材
10  押し代確保用凸部
Ｈ  ヒンジ
Ｐ  プッシュピース
【図１】
2008212244.tif 000003
【図２】
2008212244.tif 000004
【図３】
2008212244.tif 000005
【図４】
2008212244.tif 000006
【図５】
2008212244.tif 000007
【図６】
2008212244.tif 000008
【図７】
2008212244.tif 000009